(57)【特許請求の範囲】
【請求項１】
収納部を有する容器本体と、
該容器本体に枢着されてこれを開閉する蓋体と、
これら蓋体と容器本体との間に設けられ、該容器本体に回動自在に枢着されて上記収納部に収納される中皿と、
上記容器本体に形成された凹部の後壁上端部に形成された第１係合突起および上記蓋体に突設された第２係合突起から構成され、該容器本体と該蓋体を係脱可能に係合するフック手段と、
上記第１係合突起が形成された上記後壁の両側に形成された切欠部と、
上記容器本体と上記蓋体との間に挟んで位置させて上記中皿に一体的に形成され、該中皿の周壁に設けた一対のコ字状スリットで当該中皿にたわみ変形可能に弾性支持される一対の腕部、それぞれの該腕部の先端部に前方へ向かってＬ字状に折曲して形成された延設部、並びにこれら延設部の先端部間に跨って結合された操作部を有し、該延設部を上記切欠部に配置して、該操作部が上記凹部内前方に位置して該容器本体から露出されて、これら操作部および延設部が、上記第１係合突起を形成した上記後壁周辺に上記フック手段を取り囲んで配設されたプッシュピースと、
該プッシュピースへの操作力を上記蓋体の押し上げ力に変換する蓋体押し上げ手段と、
を備えたことを特徴とする化粧料容器。
【請求項２】
上記蓋体押し上げ手段は、上記蓋体と上記容器本体との間に形成され、これに当接される上記プッシュピースの操作方向に沿ってこれら蓋体と容器本体との間隔を順次狭める傾斜面であることを特徴とする請求項１に記載の化粧料容器。
【発明の詳細な説明】
【０００１】
【発明の属する技術分野】
本発明は、プッシュピースを中皿と一体として形成することにより、部品点数および組み付け工数の削減を可能とし、かつ、プッシュピースを一体成形した場合にも、簡単な構造をもって該プッシュピースの良好な操作性を確保するようにした化粧料容器に関する。
【０００２】
【従来の技術】
この種の化粧料容器としては、例えば実公昭５８−３６３３１号公報（Int.Cl.A45D 33/22 ）に開示されるものが従来存在する。これは容器本体，中皿および蓋体の後端部が共通の蝶番で枢着され、かつ、容器本体の底部と中皿との間に形成した空間部にパフが収納されるようになっている。そして、その化粧料容器の使用時には、まず蓋体を開けるとともに中皿を開けてパフを取り出し、その後、中皿を閉じて、この中皿に収容した化粧料をパフに付着させて使用するようになっている。
【０００３】
上記蓋体および上記中皿は前端側が開閉側端部となるが、該蓋体と中皿との前端部間および中皿と容器本体との前端部間にはそれぞれ係合可能な突片が形成され、これら突片がフック機構として構成される。そして、このフック機構を係合状態にしておくことにより蓋体の閉止状態が保持されて、中身の化粧料が保護されるようになっている。上記フック機構にはプッシュピースが設けられて、このプッシュピースを操作することによりフック機構の係合を解除して蓋体および中皿を開けることができる。
【０００４】
上記プッシュピースは、容器本体，中皿，蓋体とは別体に形成されて、中皿の前端壁に形成された凹孔に摺動自在に嵌挿されるとともに、該プッシュピースの前端部が容器本体の前端に露出する。そして、上記フック機構の係合状態で該プッシュピースの露出した前端部を押し込むことにより、該プッシュピースの上下に形成された楔状の傾斜面で容器本体と蓋体との間を押し開いて、フック機構の係合を解除するようになっている。
【０００５】
【発明が解決しようとする課題】
しかしながら、かかる従来の化粧料容器にあっては、上述したようにプッシュピースは容器本体，中皿，蓋体とは別体に形成されるため、化粧料容器の構成部品点数が増加し、また困難を伴う該プッシュピースの組み付け作業が別途必要で、化粧料容器の組立行程が複雑であることとも相俟って、化粧料容器のコストアップが余儀なくされてしまうという課題があった。
【０００６】
そこで、本発明はかかる従来の課題に鑑みて、プッシュピースを中皿と一体として形成することにより、部品点数および組み付け工数の削減を可能とし、かつ、プッシュピースを一体成形した場合にも、簡単な構造をもって該プッシュピースの良好な操作性を確保するようにした化粧料容器を提供することを目的とする。
【０００７】
【課題を解決するための手段】
かかる目的を達成するために本発明の請求項１に示す化粧料容器は、収納部を有する容器本体と、該容器本体に枢着されてこれを開閉する蓋体と、これら蓋体と容器本体との間に設けられ、該容器本体に回動自在に枢着されて上記収納部に収納される中皿と、上記容器本体に形成された凹部の後壁上端部に形成された第１係合突起および上記蓋体に突設された第２係合突起から構成され、該容器本体と該蓋体を係脱可能に係合するフック手段と、上記第１係合突起が形成された上記後壁の両側に形成された切欠部と、上記容器本体と上記蓋体との間に挟んで位置させて上記中皿に一体的に形成され、該中皿の周壁に設けた一対のコ字状スリットで当該中皿にたわみ変形可能に弾性支持される一対の腕部、それぞれの該腕部の先端部に前方へ向かってＬ字状に折曲して形成された延設部、並びにこれら延設部の先端部間に跨って結合された操作部を有し、該延設部を上記切欠部に配置して、該操作部が上記凹部内前方に位置して該容器本体から露出されて、これら操作部および延設部が、上記第１係合突起を形成した上記後壁周辺に上記フック手段を取り囲んで配設されたプッシュピースと、該プッシュピースへの操作力を上記蓋体の押し上げ力に変換する蓋体押し上げ手段と、を備えて構成する。
【０００８】
また、本発明の請求項２に示す化粧料容器は、上記請求項１に示す蓋体押し上げ手段を、上記蓋体と上記容器本体との間に形成され、これに当接される上記プッシュピースの操作方向に沿ってこれら蓋体と容器本体との間隔を順次狭める傾斜面とする。
【００１０】
以上の構成により本発明の化粧料容器の作用を以下述べると、請求項１では化粧料の使用時にはフック手段を係合解除した後、蓋体を枢着部分を中心に回動して開き、中皿を露出させて用いる。また、このとき中皿も容器本体に枢着されるため、該中皿と容器本体の底部との間に空間部を設けておくことにより、この空間部にパフ等の化粧具を収納しておくことができる。そして、化粧が終わった時には蓋体を閉止して上記フック手段を係合することにより、容器本体の閉止状態が保持される。また、上記フック手段を係合解除するには、プッシュピースを操作することにより、蓋体押し上げ手段を介して蓋体が押し上げられてフック手段が解除される。
【００１１】
ところで、上記プッシュピースはその一対の腕部により中皿にたわみ変形可能に弾性的に両端支持されるため、プッシュピースに操作力を作用させた際に、該プッシュピースは中皿に接合された両端を支点としてたわみ変形される。このため、フック手段の係合を解除する場合のプッシュピースの操作力を、その弾性の設定で自由度高く調整することができて操作性を向上することができる。また、上記プッシュピースは中皿と一体化されていて中皿の成形とともにこの中皿に設けることができる。このため、化粧料容器を構成するための部品点数を削減できるとともに、該プッシュピースの組み付け工程を省略することができ、これにより化粧料容器の組立作業の自動化が可能となり、その生産性の向上を図ってコストダウンを達成することができる。また、プッシュピースを、中皿の周壁に設けた一対のコ字状スリットで当該中皿にたわみ変形可能に弾性支持される一対の腕部、それぞれの腕部の先端部に前方へ向かってＬ字状に折曲して形成された延設部、並びにこれら延設部の先端部間に跨って結合された操作部から構成したので、操作部への操作力が一対の腕部に入力され、これら腕部を適切かつ十分にたわみ変形させることができる。このため、操作部を含むプッシュピース、ひいては中皿全体の剛性を高く設定した場合にも、上記腕部のたわみ変形量、したがって該操作部の操作量を十分に稼ぐことができるため、操作感を適切に調整・設定することができる。また、上記操作部が一対の腕部によって支持されるため、該操作部が操作中に傾くことを防止でき、操作部の操作感を向上することができる。
【００１２】
また、請求項２では、蓋体押し上げ手段を、上記蓋体と上記容器本体との間に形成され、これに当接される上記プッシュピースの操作方向に沿ってこれら蓋体と容器本体との間隔を順次狭める傾斜面としたので、該プッシュピースを操作することにより、傾斜面に当接する当該プッシュピースが容器本体と蓋体との間に進入して容器本体に対して蓋体を押し上げてフック手段を係合解除することができる。そしてこの蓋体押し上げ手段は単なる傾斜面であるため、その構造が簡単であるとともに、たわみ変形可能に弾性支持したプッシュピースの操作方向を適切に案内しながら、その操作力を的確に蓋体の押し上げ力に変換することができる。
【００１４】
【発明の実施の形態】
以下、本発明の実施形態を添付図面を参照して詳細に説明する。図１から図７は本発明の化粧料容器の一実施形態を示し、図１は化粧料容器の縦断面図、図２は蓋体および中皿を開けた状態の縦断面図、図３は要部を拡大して示す分解斜視図、図４はプッシュピースの通常状態を示す要部拡大平面図、図５はプッシュピースの操作状態を示す要部拡大平面図、図６はフック手段の係合状態を示す要部拡大断面図、図７はフック手段の係合解除状態を示す要部拡大断面図である。
【００１５】
本実施形態は基本的には、収納部１２ｃを有する容器本体１２と、容器本体１２に枢着されてこれを開閉する蓋体１６と、これら蓋体１６と容器本体１２との間に設けられ、容器本体１２に回動自在に枢着されて収納部１２ｃに収納される中皿１４と、容器本体１２と蓋体１６との間に設けられ、これら両者を係脱可能に係合するフック手段２６と、容器本体１２と蓋体１６との間に位置させて中皿１４に一体的に形成され、中皿１４に接合された両端３０ａ，３０ｂでたわみ変形可能に弾性支持されて、中央３０ｃが容器本体１２から露出されたプッシュピース３０と、プッシュピース３０への操作力を蓋体１６の押し上げ力に変換する蓋体押し上げ手段３２とを備えて構成され、特に蓋体押し上げ手段３２は、蓋体１６と容器本体１２との間に形成され、これに当接されるプッシュピース３０の操作方向に沿ってこれら蓋体１６と容器本体１２との間隔を順次狭める傾斜面３４であり、またプッシュピース３０は、中皿１４に接合される基端部およびその反対側の自由端部を有する一対の腕部３０ａ，３０ｂと、これら腕部３０ａ，３０ｂの自由端部間に設けられ容器本体１２から露出される操作部３０ｃとからなっている。
【００１６】
即ち、本実施形態の化粧料容器１０は、容器本体１２，中皿１４および蓋体１６を主な構成部材とし、容器本体１２は図１，図２に示すように、底面１２ａと周壁１２ｂとで囲まれた内方を収納部１２ｃとする皿状に形成される。
【００１７】
中皿１４は、同図に示すように底面１４ａと周壁１４ｂとによって皿状に形成された内方に化粧料Ｐが充填された化粧料皿１５を収容し、上記容器本体１２の収納部１２ｃ内に収納される。該中皿１４の上端周縁部には、前端部（同図中左側）と両側部（紙面直角方向）にフランジ部１４ｃが形成され、このフランジ部１４ｃが容器本体１２の周壁１２ｂ上端に当接される。このとき、中皿１４はフランジ部１４ｃ下面から底面１４ａ下側までの高さｈを、上記収納部１２ｃの深さｄより小さくして、中皿１４下側と容器本体１２の底面１２ａとの間に空間部１８を設け、この空間部１８を化粧具入れとしてパフ２０が収納されるようになっている。また、容器本体１２の後方および両側の周壁１２ｂ内側には、中皿１４の下側に対応する位置に段部１２ｄが形成され、該中皿１４が収納部１２ｃに収納された際に、中皿１４の下側周縁部が段部１２ｄに係止されるようになっている。
【００１８】
蓋体１６は容器本体１２の外側形状に沿って形成され、該容器本体１２の上面全体を覆うようになっている。該蓋体１６の裏面１６ａには、化粧鏡２２が面一となるように嵌め込まれて取り付けられ、これら裏面１６ａおよび化粧鏡２２の表面が上記中皿１４のフランジ部１４ｃの上面に密接可能となっている。
【００１９】
そして、上記容器本体１２の後端部には中皿１４および蓋体１６の後端部が共通の蝶番２４を介して枢着される。該蝶番２４は、容器本体１２の後方の周壁１２ｂの中央部に形成した凹設部２４ａに、蓋体１６および中皿１４の後端部からそれぞれ突設した突設部２４ｂ，２４ｃを嵌装し、凹設部２４ａの両側部と突設部２４ｂ，２４ｃとの間に共通のピン２４ｄを貫通することにより構成される。従って、上記蓋体１６および上記中皿１４は、図２に示すように上記蝶番２４を中心として相互に回動可能となっている。
【００２０】
一方、上記容器本体１２と上記蓋体１６の前端部間にフック手段２６が設けられ、このフック手段２６の係合状態で蓋体１６の閉止状態が保持されるようになっている。該フック手段２６は、容器本体１２の前方となる周壁１２ｂの中央部前面に凹部２８を形成し、この凹部２８の後壁２８ａ上端部に形成した第１係合突起２６ａと、蓋体１６の先端部裏面に突設した第２係合突起２６ｂとによって構成され、これら第１係合突起２６ａと第２係合突起２６ｂとが係脱されるようになっている。また、上記凹部２８には図３に示すように後壁２８ａの両側に切欠部２８ｂ，２８ｃが形成されている。
【００２１】
上記中皿１４の前端部にプッシュピース３０が設けられ、このプッシュピース３０の操作により上記フック手段２６の係合状態を解除できるようになっている。該プッシュピース３０は、図３に示したように中皿１４の前方の周壁１４ｂから片持ち状に一体成形される一対の腕部３０ａ，３０ｂ、およびこれら一対の腕部３０ａ，３０ｂの先端部間に跨って一体成形される操作部３０ｃからなり、該操作部３０ｃを容器本体１２の外側に露出させるようになっている。また、上記腕部３０ａ，３０ｂの形成部分については、中皿１４の周壁１４ｂが薄肉化される。
【００２２】
上記腕部３０ａ，３０ｂは、周壁１４ｂに設けた一対のコ字状スリット３１によって形成される。そして、それぞれの腕部３０ａ，３０ｂの先端部には前方に向かってＬ字状に折曲される延設部３０ｄが形成され、この延設部３０ｄの先端に上記操作部３０ｃが結合される。そして、腕部３０ａ，３０ｂから操作部３０ｃに至る延設部３０ｄが、上記凹部２８の切欠部２８ｂ，２８ｃに配置されることにより、該操作部３０ｃは凹部２８内に位置して外側に露出される。このとき、上記操作部３０ｃは腕部３０ａ，３０ｂのたわみ変形を伴って凹部２８内を前後方向に移動可能となっている。また、操作部３０ｃは腕部３０ａ，３０ｂに比較して厚肉に形成されて剛性が高くなり、該操作部３０ｃを押し込んだ際の移動は、主に上記腕部３０ａ，３０ｂのたわみ変形により生じる。
【００２３】
そして、上記操作部３０ｃを押し込むことにより上記フック手段２６を係合解除するようになっているが、この係合解除は該操作部３０ｃの押し込み力を蓋体１６の押し上げ力に変換する蓋体押し上げ手段３２によって行われる。該蓋体押し上げ手段３２は、第２係合突起２６ｂの下側に形成される傾斜面３４で構成される。即ち、該傾斜面３４は、化粧料容器１０の後方、つまり容器本体１２の内方に向かって下方に滑らかに傾斜され、この傾斜面３４に上記プッシュピース３０の操作部３０ｃの上端が当接されるようになっている。また、該操作部３０ｃの下端は上記凹部２８の底面にも当接されている。
【００２４】
以上の構成により本実施形態の化粧料容器１０は、図１に示したように容器本体１２に中皿１４を収納して蓋体１６を閉止した状態では、第１係合突起２６ａと第２係合突起２６ｂが係合されてフック手段２６が係合状態となり、蓋体１６の閉止状態が保持される。このとき、プッシュピース３０は図４，図６に示すように操作部３０ｃが容器本体１２の凹部２８の前方に位置している。
【００２５】
そして、化粧料Ｐの使用時には、上記プッシュピース３０の操作部３０ｃを押し込んでフック手段２６を係合解除した後、容器本体１２に蝶着された蓋体１６を、蝶番２４を中心として開けることにより、中皿１４の化粧料皿１５に収容した化粧料Ｐを露出させてこれを使用することができる。このとき、上記中皿１４と容器本体１２の底面１２ａとの間の空間部１８にパフ２０を収納してあるので、上記蓋体１６と同様に蝶番２４を中心として該中皿１４を開けて該パフ２０を取り出し、これを用いて化粧することができる。そして、化粧が終わった時には蓋体１６を閉止して上記フック手段２６を係合することにより、容器本体１２の閉止状態が保持されて化粧料Ｐを保護することができる。
【００２６】
上記フック手段２６の係合解除は、上記プッシュピース３０の押し込みにより作動される蓋体押し上げ手段３２によって行われるが、該蓋体押し上げ手段３２は第２係合突起２６ｂの下側に形成した傾斜面３４で構成し、該傾斜面３４に上記操作部３０ｃの上端を当接してある。従って、該操作部３０ｃを押し込んだ際に図７に示すようにこれの上端が傾斜面３４を押し上げて、第１，第２係合突起２６ａ，２６ｂの係合を解除するようになっている。このとき、傾斜面３４の押し上げ時の反力は、操作部３０ｃが当接する凹部２８の底面で受けるようになっている。
【００２７】
ここで、本実施形態では上記プッシュピース３０を、中皿１４に一体成形により片持ち状に突設される一対の腕部３０ａ，３０ｂと、これら一対の腕部３０ａ，３０ｂの先端部間に跨って一体成形される操作部３０ｃとによって構成し、該操作部３０ｃを容器本体１２の凹部２８に位置させて外側に露出させたので、フック手段２６を係合解除するにあたって操作部３０ｃに押し込み力を作用させた際に、図５に示すように一対の腕部３０ａ，３０ｂは比較的小さな力でたわみ変形されることになる。このため、それぞれの腕部３０ａ，３０ｂの先端部間に設けられた操作部３０ｃに加えるべき操作力を小さくして、フック手段２６を係合解除するための操作性を向上することができる。
【００２８】
また、上記プッシュピース３０は、中皿１４に一体成形される一対の腕部３０ａ，３０ｂと、これら腕部３０ａ，３０ｂの先端部間に設けられる操作部３０ｃとによってπ状に形成されたものであるため、その構造を簡単なものとすることができる。
【００２９】
ところで、上記プッシュピース３０は中皿１４に一体成形されて、これらプッシュピース３０と中皿１４とを一体とすることができるため、化粧料容器１０を構成するための部品点数を削減することができる。また、プッシュピース３０の組み付け工程を省略することができる。したがって、生産性の向上を図って製品のコストダウンを達成することができる。
【００３０】
また、上記プッシュピース３０は操作部３０ｃの移動が、片持ち状の一対の腕部３０ａ，３０ｂのたわみ変形によるので、操作部３０ｃの剛性を高くした場合にも該操作部３０ｃの押し込み量を十分に稼ぐことができる。このため、該操作部３０ｃはその剛性を高くすることにより、これの変形を伴うことなく押し込み操作することができるとともに、該操作部３０ｃが一対の腕部３０ａ，３０ｂによって支持されて傾くことが防止されることにより、操作部３０ｃの操作感を向上することができる。
【００３１】
更に、本実施形態では操作部３０ｃの押し込みによりフック手段２６を係合解除するための蓋体押し上げ手段３２を、第２係合突起２６ｂの下側に形成した単なる傾斜面３４として構成したので、該蓋体押し上げ手段３２の構造を著しく簡単にすることができる。
【００３２】
図８から図１０は本発明の他の実施形態を示し、上記実施形態と同一構成部分に同一符号を付して重複する説明を省略して述べる。尚、図８は要部を拡大して示す分解斜視図、図９はプッシュピースの通常状態を示す要部拡大平面図、図１０はプッシュピースの押し込み状態を示す要部拡大平面図である。
【００３３】
即ち、この実施形態ではプッシュピース３０の腕部３０ａ，３０ｂを、互いに向かい合う向きの一対のコ字状スリット３１ａによって形成されるようになっている。つまり、前述の実施形態の腕部３０ａ，３０ｂは、互いに反対方向に向かう向きの一対のコ字状スリット３１によって形成され、これら腕部３０ａ，３０ｂはそれぞれの接合部分（中皿１４との連結部分）から互いに向かい合う方向に延設されるのに対して、本実施形態では腕部３０ａ，３０ｂはその接合部分から互いに反対方向に向かって延設されるようになっている。
【００３４】
従って、前述の実施形態では操作部３０ｃを挟む延設部３０ｄ，３０ｄ間の外方にスリット３１が配置されるため、プッシュピース３０の形成長さが長くなる一方で、中皿１４の周壁１４ｂの長さには制約があり、結局プッシュピース３０を大きく設定することができない。これに対し本実施形態では、操作部３０ｃを挟む延設部３０ｄ，３０ｄ間にスリット３１ａが配置されるため、これら延設部３０ｄ，３０ｄの間隔を大きく設定することができる。つまり、延設部３０ｄ，３０ｄ間に設けられる操作部３０ｃの長さを設定するための自由度が広がり、最適な操作性を得るための操作部３０ｃ長さを決定することができる。
【００３５】
勿論、この実施形態にあっても上記腕部３０ａ，３０ｂのたわみ変形により操作部３０ｃの押し込み量を十分に確保でき、また、上記プッシュピース３０は中皿１４と一体化されて部品点数および組み付け工数の削減を達成できる。
【００３６】
【発明の効果】
以上説明したように本発明の請求項１に示す化粧料容器にあっては、プッシュピースがその一対の腕部により中皿にたわみ変形可能に弾性的に両端支持されるため、プッシュピースに操作力を作用させた際に、該プッシュピースを、中皿に接合された両端を支点としてたわみ変形させることができ、フック手段の係合を解除する場合のプッシュピースの操作力を、その弾性の設定で自由度高く調整することができて操作性を向上することができる。また、上記プッシュピースは中皿と一体化されていて中皿の成形とともにこの中皿に設けることができるので、化粧料容器を構成するための部品点数を削減できるとともに、該プッシュピースの組み付け工程を省略することができ、これにより化粧料容器の組立作業の自動化が可能となり、その生産性の向上を図ってコストダウンを達成することができる。また、プッシュピースを、中皿の周壁に設けた一対のコ字状スリットで当該中皿にたわみ変形可能に弾性支持される一対の腕部、それぞれの腕部の先端部に前方へ向かってＬ字状に折曲して形成された延設部、並びにこれら延設部の先端部間に跨って結合された操作部から構成したので、操作部への操作力が一対の腕部に入力され、これら腕部を適切かつ十分にたわみ変形させることができるので、操作部を含むプッシュピース、ひいては中皿全体の剛性を高く設定した場合にも、上記腕部のたわみ変形量、したがって該操作部の操作量を十分に稼ぐことができ、操作感を適切に調整・設定することができる。また、上記操作部が一対の腕部によって支持されるため、該操作部が操作中に傾くことを防止でき、操作部の操作感を向上することができる。
【００３７】
また、本発明の請求項２に示す化粧料容器にあっては、プッシュピースを操作することにより、傾斜面に当接する当該プッシュピースが容器本体と蓋体との間に進入して容器本体に対して蓋体を押し上げてフック手段を係合解除することができ、そしてこの蓋体押し上げ手段が単なる傾斜面であるため、その構造が簡単であるとともに、たわみ変形可能に弾性支持したプッシュピースの操作方向を適切に案内しながら、その操作力を的確に蓋体の押し上げ力に変換することができる。
【図面の簡単な説明】
【図１】本発明の一実施形態を示す化粧料容器からの縦断面図である。
【図２】本発明の一実施形態を示す蓋体および中皿を開けた状態の縦断面図である。
【図３】本発明の一実施形態の要部を拡大して示す分解斜視図である。
【図４】本発明の一実施形態のプッシュピースの通常状態を示す要部拡大平面図である。
【図５】本発明の一実施形態のプッシュピースの押し込み状態を示す要部拡大平面図である。
【図６】本発明の一実施形態のフック手段の係合状態を示す要部拡大断面図である。
【図７】本発明の一実施形態のフック手段の係合解除状態を示す要部拡大断面図である。
【図８】本発明の他の実施形態の要部を拡大して示す分解斜視図である。
【図９】本発明の他の実施形態のプッシュピースの通常状態を示す要部拡大平面図である。
【図１０】本発明の他の実施形態のプッシュピースの押し込み状態を示す要部拡大平面図である。
【符号の説明】
１０  化粧料容器
１２  容器本体
１２ｃ  収納部
１４  中皿
１６  蓋体
２４  蝶番
２６  フック手段
２６ａ  第１係合突起
２６ｂ  第２係合突起
２８  凹部
３０  プッシュピース
３０ａ，３０ｂ  腕部
３０ｃ  操作部
３２  蓋体押し上げ手段
３４  傾斜面
Ｐ  化粧料
【図１】
0003946341.tif 000002
【図２】
0003946341.tif 000003
【図３】
0003946341.tif 000004
【図４】
0003946341.tif 000005
【図５】
0003946341.tif 000006
【図６】
0003946341.tif 000007
【図７】
0003946341.tif 000008
【図８】
0003946341.tif 000009
【図９】
0003946341.tif 000010
【図１０】
0003946341.tif 000011